(57)【要約】【課題】ユーザの操作に応じて行われた設定項目の設定によってもたらされる効果を、ユーザが的確に把握する。【解決手段】制御部６９においては、設定部１１１が、ユーザの操作に応じて、ディジタルカメラの設定可能な設定項目の設定を行い、表示制御部１１２が、その設定項目の設定によってもたらされる効果を説明する自然言語のメッセージである効果説明メッセージを表示させる。本発明は、例えば、ディジタルカメラに適用できる。【選択図】図３
2007243418.tif 000002
【特許請求の範囲】
【請求項１】
被写体を撮像して対応する画像信号を生成する撮像手段と、
撮像処理に関する所定処理の実行を選択的に受け付ける受付手段と、
前記受付手段による選択に応じて、選択された前記所定処理の実行を制御する制御手段と、
前記受付手段により選択された前記所定処理が実行されたことを示す実行情報および前記受付手段により選択された前記所定処理の実行によりもたらされる効果を説明する効果説明情報を表示させる表示制御手段と
を備える撮像装置。
【請求項２】
前記受付手段は、撮像処理に関する複数の所定処理の実行を選択的に受け付け、
前記表示制御手段は、前記効果説明情報とともに、前記受付手段により選択された前記所定処理の実行が他の所定処理に及ぼす影響を説明する影響説明情報を表示させる
請求項１に記載の撮像装置。
【請求項３】
前記所定処理と関連付けて、前記実行情報、前記効果説明情報、および前記影響説明情報が予め記録されている記録手段をさらに備える
請求項２に記載の撮像装置。
【請求項４】
前記記録手段には、前記所定処理と関連付けて、前記実行情報、前記効果説明情報、または前記影響説明情報のうちの少なくとも１つが自然言語によって予め記録されている
請求項３に記載の撮像装置。
【請求項５】
前記効果説明情報については表示の許可または禁止の設定が可能であり、
前記表示制御手段は、前記効果説明情報を表示するように設定されている場合のみ、前記効果説明情報を表示させる
請求項１に記載の撮像装置。
【請求項６】
前記撮像手段により撮像された画像を表示する表示手段をさらに備え、
前記表示制御手段は、前記効果説明情報を、前記画像に重畳して、前記表示手段に表示させる
請求項１に記載の撮像装置。
【請求項７】
前記表示制御手段は、さらに、前記撮像装置が値を決定することに設定されている設定項目であるオート項目の値が決定された場合、値が決定された前記オート項目、前記オート項目に対して決定された所定の値、または前記オート項目の値を所定の値に決定した理由を説明する値決定情報を表示させる
請求項１に記載の撮像装置。
【請求項８】
被写体を撮像して対応する画像信号を生成する撮像ステップと、
撮像処理に関する所定処理の実行を選択的に受け付ける受付ステップと、
前記受付ステップの処理で選択された前記所定処理の実行を制御する制御ステップと、
前記受付ステップの処理で選択された前記所定処理が実行されたことを示す実行情報および前記受付ステップの処理で選択された前記所定処理の実行によりもたらされる効果を説明する効果説明情報を表示させる表示制御ステップと
を含む制御方法。
【請求項９】
被写体を撮像して対応する画像信号を生成する撮像ステップと、
撮像処理に関する所定処理の実行を選択的に受け付ける受付ステップと、
前記受付ステップの処理で選択された前記所定処理の実行を制御する制御ステップと、
前記受付ステップの処理で選択された前記所定処理が実行されたことを示す実行情報および前記受付ステップの処理で選択された前記所定処理の実行によりもたらされる効果を説明する効果説明情報を表示させる表示制御ステップと
を含む処理をコンピュータに実行させるプログラム。
【発明の詳細な説明】
【技術分野】
【０００１】
本発明は、撮像装置、制御方法、並びにプログラムに関し、特に、例えば、ディジタルカメラ等において、ユーザの操作に応じて行われた設定によってもたらされる効果を、ユーザが的確に把握することができるようにした撮像装置、制御方法、並びにプログラムに関する。
【背景技術】
【０００２】
例えば、ディジタルカメラにおいては、フラッシュの発光や、シャッタスピード（露出時間）、ズーム倍率等の各種の項目（設定項目）を設定することができる。
【０００３】
例えば、フラッシュの発光に関する設定項目では、フラッシュを常時（撮影時に必ず）発光することや、フラッシュの発光を禁止すること、測光の結果に応じてフラッシュを発光するか否かを決定することを設定することができる。
【０００４】
ここで、設定項目の設定は、ユーザの操作に応じて、具体的な値が設定される場合と、ディジタルカメラが具体的な値を最終的に決定するように設定される場合とに、大きく分けることができる。
【０００５】
即ち、例えば、上述のフラッシュの発光については、ユーザの操作に応じて、フラッシュを常時発光すること、またはフラッシュの発光を禁止すること（を表す値）が設定される場合と、ディジタルカメラがフラッシュを発光するか否かを決定すること（を表す値）が設定される場合とに、大きく分けることができる。
【０００６】
ユーザの操作に応じて、フラッシュを常時発光することが設定された場合、撮影時（撮像された画像が記録されるとき）に、必ず、フラッシュが発光する。また、ユーザの操作に応じて、フラッシュの発光を禁止することが設定された場合、撮影時に、フラッシュの発光はされない。
【０００７】
一方、ディジタルカメラがフラッシュを発光するか否かを決定することが設定された場合、ディジタルカメラでは、撮影時に、例えば、測光の結果に応じて、フラッシュを発光するかどうかが決定される。
【０００８】
ユーザの操作に応じた具体的な値の設定は、「マニュアル（手動）」と呼ばれ、ディジタルカメラが具体的な値を最終的に決定する設定は、「オート（自動）・・・」（例えば、オートフォーカスや、自動露出等）と呼ばれる。
【０００９】
なお、例えば、LCD(Liquid Crystal Display)の表示画面に表示された複数項目が列挙されたメニューバーの中からディジタルカメラのある機能のまとまりを示す項目、例えば、「エフェクト」が選択され、続いて、「エフェクト」を展開して表示された項目の中から、例えば「彩度調節」が選択されると、「彩度調節」に応じた彩度調整画面がGUI（Graphical User Interface）表示されるディジタルカメラがある。（例えば、特許文献１参照）
【００１０】
【特許文献１】特開２００４−２０１１０６号公報
【発明の開示】
【発明が解決しようとする課題】
【００１１】
ところで、例えば、ユーザが、ディジタルカメラを操作して、ある設定項目の設定をした場合、ディジタルカメラでは、その設定項目の設定内容を表すアイコンがディジタルカメラにおいて表示される。即ち、例えば、ユーザの操作に応じて、ディジタルカメラがフラッシュを発光するか否かを決定すること（以下、適宜、オートフラッシュという）が設定された場合、フラッシュの発光の設定がオートフラッシュになっていることを表すアイコンが表示される。
【００１２】
ディジタルカメラの取り扱いに慣れたユーザは、ディジタルカメラで表示されたアイコンによって、どのような設定項目が、どのような設定になっているのかを把握することができ、さらに、ユーザの操作に応じて行われた設定項目の設定によって、どのような効果がもたらされるのかを把握することができる。
【００１３】
しかしながら、ディジタルカメラの取り扱いに慣れていないユーザは、ディジタルカメラで表示されたアイコンを見ても、どのような設定項目が、どのような設定になっているのかを把握することができないことがあり、さらに、ユーザの操作に応じて行われた設定項目の設定によって、どのような効果がもたらされるのかを把握することが困難なことがある。
【００１４】
そして、ディジタルカメラの取り扱いに慣れていないユーザにとって、ユーザの操作に応じて行われた設定項目の設定によって、どのような効果がもたらされるのかを把握することができないことは不便である。
【００１５】
本発明は、このような状況に鑑みてなされたものであり、ユーザの操作に応じて行われた設定によってもたらされる効果を、ユーザが的確に把握することができるようにするものである。
【課題を解決するための手段】
【００１６】
本発明の一側面の撮像装置は、被写体を撮像して対応する画像信号を生成する撮像手段と、撮像処理に関する所定処理の実行を選択的に受け付ける受付手段と、前記受付手段による選択に応じて、選択された前記所定処理の実行を制御する制御手段と、前記受付手段により選択された前記所定処理が実行されたことを示す実行情報および前記受付手段により選択された前記所定処理の実行によりもたらされる効果を説明する効果説明情報を表示させる表示制御手段とを備える。
【００１７】
本発明の一側面の撮像装置には、前記所定処理と関連付けて、前記実行情報、前記効果説明情報、および前記影響説明情報が予め記録されている記録手段をさらに設けることができる。
【００１８】
本発明の一側面の撮像装置には、前記撮像手段により撮像された画像を表示する表示手段がさらに設けられ、前記表示制御手段には、前記効果説明情報を、前記画像に重畳して、前記表示手段に表示させることができる。
【００１９】
本発明の一側面の撮像装置の制御方法、またはプログラムは、被写体を撮像して対応する画像信号を生成する撮像ステップと、撮像処理に関する所定処理の実行を選択的に受け付ける受付ステップと、前記受付ステップの処理で選択された前記所定処理の実行を制御する制御ステップと、前記受付ステップの処理で選択された前記所定処理が実行されたことを示す実行情報および前記受付ステップの処理で選択された前記所定処理の実行によりもたらされる効果を説明する効果説明情報を表示させる表示制御ステップとを含む。
【００２０】
本発明の一側面においては、被写体が撮像されて対応する画像信号が生成され、撮像処理に関する所定処理の実行が選択的に受け付けられ、選択された前記所定処理の実行が制御され、選択された前記所定処理が実行されたことを示す実行情報および選択された前記所定処理の実行によりもたらされる効果を説明する効果説明情報が表示される。
【発明の効果】
【００２１】
本発明の一側面によれば、ユーザの操作に応じて行われた設定によってもたらされる効果を、ユーザが的確に把握することができる。
【発明を実施するための最良の形態】
【００２２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面の撮像装置は、被写体を撮像して対応する画像信号を生成する撮像手段（例えば、図２の撮像部５２）と、撮像処理に関する所定処理の実行を選択的に受け付ける受付手段（例えば、図３の設定部１１１）と、前記受付手段による選択に応じて、選択された前記所定処理の実行を制御する制御手段（例えば、図２の制御部６９）と、前記受付手段により選択された前記所定処理が実行されたことを示す実行情報および前記受付手段により選択された前記所定処理の実行によりもたらされる効果を説明する効果説明情報を表示させる表示制御手段（例えば、図３の表示制御部１１２）とを備える。
【００２４】
本発明の一側面の撮像装置には、前記所定処理と関連付けて、前記実行情報、前記効果説明情報、および前記影響説明情報が予め記録されている記録手段（例えば、図３のＩＤテーブル１３１およびメッセージテーブル１３２）をさらに設けることができる。
【００２５】
本発明の一側面の撮像装置には、前記撮像手段により撮像された画像を表示する表示手段（例えば、図１のLCD２２）がさらに設けられ、前記表示制御手段には、前記効果説明情報を、前記画像に重畳して、前記表示手段に表示させることができる。
【００２６】
本発明の一側面の撮像装置の制御方法、またはプログラムは、被写体を撮像して対応する画像信号を生成する撮像ステップ（例えば、図５のステップＳ１２）と、撮像処理に関する所定処理の実行を選択的に受け付ける受付ステップ（例えば、図６のステップＳ３１）と、前記受付ステップの処理で選択された前記所定処理の実行を制御する制御ステップ（例えば、図６のステップＳ３２）と、前記受付ステップの処理で選択された前記所定処理が実行されたことを示す実行情報および前記受付ステップの処理で選択された前記所定処理の実行によりもたらされる効果を説明する効果説明情報を表示させる表示制御ステップ（例えば、図６のステップＳ３６）とを含む。
【００２７】
以下、図面を参照して本発明を適用した実施の形態について説明する。
【００２８】
図１は、本発明を適用したディジタルカメラの一実施の形態の外観構成例を示す平面図である。
【００２９】
なお、図１のディジタルカメラ１１は、厚みの薄い直方体形状をしており、レンズ３５が設けられた面を正面とすると、図１左は、ディジタルカメラ１１の背面図であり、図１右は、ディジタルカメラ１１の正面図である。
【００３０】
ディジタル（スチル）カメラ１１には、LCD２２、フラッシュ３４、レンズ３５、および操作部５１が設けられている。なお、操作部５１は、シャッタボタン２３、ズームワイドボタン２４、ズームテレボタン２５、メニューボタン２６、マクロボタン２７、フラッシュボタン２８、上キー２９、下キー３０、左キー３１、および右キー３２、および決定キー３３からなる。
【００３１】
LCD２２は、ディジタルカメラ１１の背面の左側に設けられている。LCD２２には、後述する設定表示制御処理において、アイコンや自然言語のメッセージ等が表示される。
【００３２】
また、LCD２２には、ディジタルカメラ１１により撮像された画像（いわゆるスルー画（像）を含む）や、撮像されて記録された画像を再生した再生画像も表示される。
【００３３】
シャッタボタン２３は、ディジタルカメラ１１を背面から見た場合に、ディジタルカメラ１１の上面の右側に設けられている。シャッタボタン２３は、例えば、写真を撮る場合、即ち、撮像されている画像（撮像され、LCD２２に表示されている画像）を記録する場合等に操作される。
【００３４】
操作部５１のうちの、シャッタボタン２３以外のズームワイドボタン２４、ズームテレボタン２５、メニューボタン２６、マクロボタン２７、フラッシュボタン２８、上キー２９、下キー３０、左キー３１、および右キー３２、および決定キー３３は、ディジタルカメラ１１の背面の右側に設けられている。ズームワイドボタン２４は、ズーム倍率を小にする場合に操作され、ズームテレボタン２５は、ズーム倍率を大にする場合に操作される。メニューボタン２６は、LCD２２にメニュー画面を表示させる場合に操作され、マクロボタン２７は、被写体を近接距離から撮影する、いわゆるマクロ撮影を行うモードをオンまたはオフに設定する場合に操作される。フラッシュボタン２８は、フラッシュ３４の設定をする場合に操作され、上キー２９乃至右キー３２は、LCD２２に表示されるカーソルを移動させる場合等に操作される。決定キー３３は、例えば、LCD２２に表示されたカーソルが指定している項目の設定を確定する場合等に操作される。
【００３５】
フラッシュ３４は、ディジタルカメラ１１の正面の左上の位置に設けられており、被写体を照明する光を発する。レンズ３５は、フラッシュ３４の下側に設けられており、レンズ３５には、被写体からの光が入射する。
【００３６】
図２は、図１のディジタルカメラ１１の内部構成例を示すブロック図である。
【００３７】
レンズ制御部６１は、制御部６９の制御に従い、レンズ３５の位置等を制御することにより、ズーム倍率やフォーカス等を調整する。アイリス６２は、制御部６９から入力される制御信号に従って、その開口径を変化させることにより、レンズ３５から、アイリス６２およびシャッタ６３を介してCCD６５に入射する光を調整する。シャッタ６３は、制御部６９から入力される制御信号に従って開閉し、アイリス６２を介した光がCCD６５に光が入射するタイミングを制御する。タイミングジェネレータ６４は、制御部６９の制御に従い、CCD６５とCDS部６６に所定のタイミングを表すタイミング信号を供給する。
【００３８】
CCD６５は、レンズ３５、アイリス６２、およびシャッタ６３を介して入射する光を受光し、光電変換を行うことで、受光した光の強度に対応する電気信号をCDS（Correlated Double Sampling（相関二重サンプリング））部６６に出力する。ここで、CCD６５は、タイミングジェネレータ６４から供給されるタイミング信号に従って、光電変換を行い、その結果得られる電気信号をCDS部６６に出力する。
【００３９】
CDS部６６は、CCD６５からの電気信号に対して、CDS処理を施すことにより、いわゆるリセット雑音が低減されたRGB(Red, Green, Blue)のアナログの画像信号を得て、A/D（Analog to digital）変換部６７に出力する。
【００４０】
A/D変換部６７は、CDS部６６からのRGBの画像信号を、アナログ信号からディジタル信号に変換して、その結果得られる画像データをWB（White Balance）アンプ６８に出力する。
【００４１】
WBアンプ６８は、制御部６９から入力された制御信号に従って、A/D変換部６７からの画像データに、ホワイトバランス係数を乗算し、制御部６９に出力する。
【００４２】
制御部６９は、例えば、CPU(Central Processing Unit)やDSP(Digital Signal Processor)等のプロセッサを内蔵し、例えば、ROM（Read Only Memory）７３やEEPROM（Electrically Erasable and Programmable ROM）７６に記憶（インストール）されたプログラムを実行することにより、ディジタルカメラ１１を構成するレンズ制御部６１その他のブロックを制御する。また、制御部６９は、図１のシャッタボタン２３、ズームワイドボタン２４およびズームテレボタン２５、メニューボタン２６乃至フラッシュボタン２８、上キー２９乃至右キー３２、若しくは決定キー３３からなる操作部５１から供給される操作信号に基づいて、各種の処理を実行する。
【００４３】
測光素子７０は、例えば、フォトダイオード等からなり、外光の強度を測定し、制御部６９に出力する。充電・発光制御部７１は、フラッシュ３４の発光に必要な電源を充電し、制御部６９から入力される制御信号に基づいて、フラッシュ３４の発光を制御する。フラッシュ３４は、充電・発光制御部７１から供給された電源により、充電・発光制御部７１の制御に従い、発光する。
【００４４】
ここで、フラッシュ３４、レンズ３５、レンズ制御部６１、アイリス６２、シャッタ６３、タイミングジェネレータ６４、CCD６５、CDS部６６、A/D変換部６７、WBアンプ６８、測光素子７０、および充電・発光制御部７１は、被写体像を撮像して画像信号を生成する撮像部５２を構成する。
【００４５】
記録部７２は、制御部６９から供給される画像データを記録し、記録されている画像データを読み出して制御部６９に供給する。
【００４６】
ROM７３には、制御部６９が実行するプログラムおよびプログラムによって読み込まれるデータ等が格納されている。外部インターフェース７４は、例えば、USB（Universal Serial Bus）入出力端子等を備え、外部機器とのデータの授受を行う。RAM（Random Access Memory）７５は、制御部６９の処理において生成されたデータ等を一時保存する。EEPROM７６は、制御部６９が実行する、例えば、レンズ制御部６１、アイリス６２、シャッタ６３、タイミングジェネレータ６４等に対する制御に必要な設定値や、制御部６９が実行するプログラム等を記憶する。
【００４７】
ドライブ７７には、磁気ディスク８１、光ディスク８２、もしくは光磁気ディスク８３等が必要に応じて装着される。メモリスロット７８には、半導体メモリ９１が、必要に応じて装着される。
【００４８】
ドライブ７７とメモリスロット７８は、制御部６９に接続されており、WBアンプ６８から制御部６９に供給された画像データは、記録部７２で記録する他、ドライブ７７やメモリストット７８を介して、磁気ディスク８１、光ディスク８２、光磁気ディスク８３、若しくは半導体メモリ９１に記録（記憶）することができる。また、制御部６９に実行させるプログラムは、磁気ディスク８１、光ディスク８２、光磁気ディスク８３、若しくは半導体メモリ９１からドライブ７７やメモリスロット７８を介してEEPROM７６にインストールすることができる。
【００４９】
ディジタルカメラ１１において、制御部６９は、ROM７３やEEPROM７６に記憶されたプログラムを実行することにより、操作部５１から供給される操作信号に基づいて撮像処理に関する設定項目の設定を行い、即ち、撮像処理に関する所定処理の実行を選択的に受け付け、その設定項目の設定に基づいて撮像部５２の所定処理の実行を制御し、さらに、その設定項目の設定に対応するアイコンやメッセージ等の表示を制御する処理（設定表示制御処理）を行う。
【００５０】
図３は、そのような設定表示制御処理を行う制御部６９、および制御部６９に参照されるEEPROM７６の機能的な構成例を示すブロック図である。
【００５１】
図３において、制御部６９は、設定部１１１および表示制御部１１２から構成され、EEPROM７６は、後述のＩＤ（Identifier）テーブル１３１およびメッセージテーブル１３２を記憶している。
【００５２】
設定部１１１は、操作部５１から供給された操作信号に基づいて、必要な設定項目の設定を行う。
【００５３】
例えば、マクロ撮影を行うモードであるマクロモードがＯＦＦ（オフ）である場合において、ユーザによってマクロボタン２７（図１）を押下する操作が行われると、かかる操作に対応する操作信号が操作部５１から制御部６９の設定部１１１に供給される。設定部１１１は、操作部５１からの操作信号に基づいて、マクロモードをＯＮに設定する（例えば、EEPROM７６に記憶されている、マクロモードのＯＮ／ＯＦＦに関する設定項目の設定値を、マクロモードがオンであることを表す値に設定する）。さらに、設定部１１１は、マクロモードをＯＮに設定することで、例えば、フォーカスに関する設定項目を、手動でフォーカスを決めるマニュアルフォーカスにする設定を禁止してオートフォーカスに設定する必要があれば、オートフォーカスに設定する。
【００５４】
そして、設定部１１１は、操作部５１から供給された操作信号に基づいて設定を行った設定項目に関する情報である設定情報を、表示制御部１１２に供給する。なお、設定情報は、設定部１１１が操作部５１からの操作信号に基づいて設定を行った設定項目を表す情報と、その設定項目の設定値とを含む。
【００５５】
表示制御部１１２は、ＩＤ取得部１２１およびメッセージ取得部１２２から構成され、設定部１１１から供給された設定情報に基づいて、設定された設定項目の設定によってもたらされる効果を表す自然言語のメッセージである効果説明メッセージを含む各種のメッセージをLCD２２に表示させる。
【００５６】
即ち、表示制御部１１２において、ＩＤ取得部１２１は、設定部１１１からの設定情報が表す設定項目の、同じく設定部１１１からの設定情報が表す設定値に関連付けられたＩＤを、EEPROM７６のＩＤテーブル１３１から読み出すことにより取得し、メッセージ取得部１２２に供給する。
【００５７】
ここで、ＩＤテーブル１３１では、後述するように、各設定項目の各設定値に、メッセージを特定するＩＤが関連付けられている。なお、ＩＤテーブル１３１の詳細については後述する。
【００５８】
メッセージ取得部１２２は、ＩＤ取得部１２１から供給されたＩＤに対応するメッセージを、EEPROM７６のメッセージテーブル１３２から読み出すことにより取得する。メッセージ取得部１２２がメッセージテーブル１３２から読み出したメッセージが、LCD２２に表示される。
【００５９】
ここで、メッセージテーブル１３２では、後述するように、効果説明メッセージを含む各種の自然言語のメッセージと、そのメッセージを特定するＩＤが対応付けられている。なお、メッセージテーブル１３２の詳細については後述する。
【００６０】
次に、図３のEEPROM７６のＩＤテーブル１３１およびメッセージテーブル１３２の詳細について説明する。
【００６１】
図４は、ＩＤテーブル１３１およびメッセージテーブル１３２の例を示す図である。
【００６２】
図４の上から１番目の図はＩＤテーブル１３１の例であり、図４の上から２番目乃至４番目の３つの図はメッセージテーブル１３２の例である。
【００６３】
図４の上から１番目のＩＤテーブルには、各設定項目の各設定値に対して、その設定値が設定されたときに表示すべきメッセージを特定するＩＤとして、実況ＩＤ、解説ＩＤ、および他項目ＩＤが関連付けられている。
【００６４】
なお、設定値には、必ずしも、実況ＩＤ、解説ＩＤ、および他項目ＩＤのすべてを関連付けておく必要はない。
【００６５】
図４の上から２番目のメッセージテーブルには、実況ＩＤと、その実況ＩＤによって特定されるメッセージである実況メッセージとが対応付けられており、図４の上から３番目のメッセージテーブルには、解説ＩＤと、その解説ＩＤによって特定されるメッセージである解説メッセージとが対応付けられている。図４の上から４番目のメッセージテーブルには、他項目ＩＤと、その他項目ＩＤによって特定される他項目メッセージとが対応付けられている。
【００６６】
ここで、実況メッセージは、ユーザの操作に応じて行われた設定項目の設定の内容を説明するメッセージである。また、解説メッセージと他項目メッセージは、いずれも、ユーザの操作に応じて行われた設定項目の設定によってもたらされる効果を説明する効果説明メッセージであり、特に、ユーザの操作に応じて行われた設定項目の設定で行われる撮像の内容を説明するメッセージ（設定項目の設定によってもたらされる効果として、どのような撮像が行われるかを説明するメッセージ）である。さらに、他項目メッセージは、ユーザの操作に応じて行われた設定項目の設定が他の設定項目の設定に及ぼす影響を説明するメッセージ（設定項目の設定によってもたらされる効果として、他の設定項目の設定にどのような影響があるのかを説明するメッセージ）である。
【００６７】
なお、以下、適宜、図４の上から２番目のメッセージテーブルを実況メッセージテーブルと、図４の上から３番目のメッセージテーブルを解説メッセージテーブルと、図４の上から４番目のメッセージテーブルを他項目メッセージテーブルと、それぞれいう。
【００６８】
まず、図４の上から１番目のＩＤテーブルについて説明する。
【００６９】
図４の上から１番目のＩＤテーブルにおいて、上から２行目に注目すると、設定項目「撮影モード」の設定値「連写」には、実況ＩＤ「１−１」、解説ＩＤ「２−１」、他項目ＩＤ「３−１」が関連付けられている。
【００７０】
また、ＩＤテーブルの上から３行目に注目すると、上から２行目と同様に、設定項目「撮影モード」の設定値「BRK（BRK: Exposure Bracketing）±0.3EV」には、実況ＩＤ「１−２」、解説ＩＤ「２−２」、他項目ＩＤ「３−２」が関連付けられている。
【００７１】
ＩＤテーブルの以下の行においても、同様に、設定項目の各設定値に、実況ＩＤ、解説ＩＤ、他項目ＩＤが関連付けられている。
【００７２】
次に、図４の上から２番目の実況メッセージテーブルについて説明する。
【００７３】
図４の上から２番目の実況メッセージテーブルにおいて、上から２行目に注目すると、実況ＩＤ「１−１」と、その実況ＩＤによって特定される実況メッセージ「撮影モードが連写に設定されました。」とが対応付けられている。
【００７４】
また、実況メッセージテーブルの上から３行目に注目すると、上から２行目と同様に、実況ＩＤ「１−２」と、その実況ＩＤによって特定される実況メッセージ「撮影モードがBRK±0.3EVに設定されました。」とが対応付けられている。
【００７５】
実況メッセージテーブルの以下の行においても、同様に、実況ＩＤと、その実況ＩＤによって特定される実況メッセージとが対応付けられている。
【００７６】
図４の上から３番目の解説メッセージテーブルについて説明する。
【００７７】
図４の上から３番目の解説メッセージテーブルにおいて、上から２行目に注目すると、解説ＩＤ「２−１」と、その解説ＩＤによって特定される解説メッセージ「シャッタを押している間、撮りつづけられますよ。」とが対応付けられている。
【００７８】
また、解説メッセージテーブルにおいて、上から３行目に注目すると、解説ＩＤ「２−２」と、その解説ＩＤによって特定される解説メッセージ「１回のシャッタでＥＶ補正を-0.3EV/±0EV/+0.3EVに設定して３枚撮影します。」とが対応付けられている。
【００７９】
解説メッセージテーブルの以下の行においても、同様に、解説ＩＤと、その解説ＩＤによって特定される解説メッセージとが対応付けられている。
【００８０】
図４の上から４番目の他項目メッセージテーブルについて説明する。
【００８１】
図４の上から４番目の他項目メッセージテーブルにおいて、上から２行目に注目すると、他項目ＩＤ「３−１」と、その他項目ＩＤによって特定される他項目メッセージ「でも、フラッシュ撮影ができなくなりますよ。」とが対応付けられている。
【００８２】
図４の上から４番目の他項目メッセージテーブルにおいて、上から３行目に注目すると、他項目ＩＤ「３−２」と、その他項目ＩＤによって特定される他項目メッセージ「でも、マニュアルフォーカス設定は使えません。」とが対応付けられている。
【００８３】
図３の表示制御部１１２は、図４のＩＤテーブルとメッセージテーブル（実況メッセージテーブル、解説メッセージテーブル、他項目メッセージテーブル）とを参照して、LCD２２にメッセージを表示させる。
【００８４】
即ち、設定部１１１（図３）において、ユーザの操作に応じて、例えば、設定項目「撮影モード」が、設定値「連写」に設定された場合、設定部１１１は、設定項目「撮影モード」とその設定値「連写」を表す設定情報を、表示制御部１１２に供給する。
【００８５】
表示制御部１１２では、ＩＤ取得部１２１が、設定部１１１からの設定情報が表す設定項目「撮影モード」の設定値「連写」に関係付けされている実況ＩＤ「１−１」、解説ＩＤ「２−１」、および他項目ＩＤ「３−１」を、図４のＩＤテーブルから読み出し、メッセージ取得部１２２に供給する。
【００８６】
メッセージ取得部１２２は、図４のメッセージテーブルから、ＩＤ取得部１２１からの実況ＩＤ「１−１」、解説ＩＤ「２−１」、他項目ＩＤ「３−１」にそれぞれ対応付けられているメッセージ、即ち、実況ＩＤ「１−１」に対応付けられているメッセージ「撮影モードが連写に設定されました。」、解説ＩＤ「２−１」に対応付けられているメッセージ「シャッタを押している間、撮りつづけられますよ。」、および他項目ＩＤ「３−１」に対応付けられているメッセージ「でも、フラッシュ撮影ができなくなりますよ。」を読み出す。
【００８７】
そして、表示制御部１１２は、メッセージ取得部１２２がメッセージテーブルから読み出したメッセージ「撮影モードが連写に設定されました。」、「シャッタを押している間、撮りつづけられますよ。」、および「でも、フラッシュ撮影ができなくなりますよ。」を、LCD２２に表示させる。
【００８８】
なお、表示制御部１１２は、メッセージを、単独で表示させる他、例えば、人間、動物、ロボット等のキャラクタが話しているように表示させることができる。
【００８９】
また、制御部６９（図２）は、CCD６５で撮像され、CDS部６６、A/D変換部６７、およびWBアンプ６８を介して供給される被写体の画像データを、LCD２２に供給することにより、LCD２２に、いわゆるスルー画を表示させるが、表示制御部１１２は、メッセージを、スルー画に重畳してLCD２２に表示させることができる。メッセージとスルー画とを、いわゆるアルファ・ブレンディングすることにより、ユーザは、メッセージとスルー画との両方を確認することができる。
【００９０】
その他、表示制御部１１２は、設定部１１１から供給された設定情報に基づいて、設定された設定項目の設定を表すアイコンの表示の制御を行うことができる。
【００９１】
また、ディジタルカメラ１１を熟知しているユーザやカメラに精通したユーザにとっては、効果説明メッセージを含むメッセージの表示は必ずしも必要ではないため、ディジタルカメラ１１の設定可能な設定項目には、効果説明メッセージを含むメッセージの表示の許可または禁止が設定される設定項目を含めることができる。この場合、表示制御部１１２は、効果説明メッセージの表示の許可に設定されているときのみ、効果説明メッセージを含むメッセージをLCD２２に表示させる。
【００９２】
このように、メッセージの表示の許可または禁止を設定可能にすることで、メッセージが必要ない場合には、メッセージの表示の禁止を設定することにより、メッセージの表示に、LCD２２の表示領域が、いわば無駄に使用されることを防止することができる。
【００９３】
なお、効果説明メッセージを含むメッセージの表示を、以下、適宜、実況中継ともいう。
【００９４】
ディジタルカメラ１１において、撮像部５２は、制御部６９の制御に基づいて、画像（被写体像）を撮像し、制御部６９は、撮像された画像（スルー画）の表示の制御を行い、さらに、制御部６９は、ユーザの操作に応じて設定項目の設定を行い、撮像に関する設定項目の設定が行われた場合には、その設定項目の設定に基づいて、撮像部５２の所定処理の実行を制御し、さらに、その設定項目の設定、ひいては、その設定に基づいて行われた撮像部５２の所定処理の実行に対応するメッセージの表示の制御を行う撮像表示処理を行う。
【００９５】
次に、図５のフローチャートを参照して、ディジタルカメラ１１が行うそのような撮像表示処理について説明する。
【００９６】
ステップＳ１１において、制御部６９は、例えば、図２のEEPROM７６を参照し、スルー画の表示の許可または禁止を設定する設定項目の設定に、スルー画の表示の許可が設定されているかどうかを判定する。スルー画の表示の許可が設定されていないと判定された場合、ステップＳ１２およびステップＳ１３をスキップしてステップＳ１４に進む。
【００９７】
ステップＳ１１において、スルー画の表示の許可が設定されていると判定された場合、ステップＳ１２に進み、撮像部５２は、制御部６９の制御に基づいて画像の撮像を行い、その結果得られた画像データを制御部６９に供給して、ステップＳ１３に進む。
【００９８】
ステップＳ１３において、制御部６９の表示制御部１１２は、撮像部５２から供給された画像データに基づいて、スルー画を、図１のLCD２２に表示する制御を行い、ステップＳ１４に進む。
【００９９】
ステップＳ１４において、制御部６９は、設定項目の設定のためのユーザによる操作はあったかどうかを判定する。ステップＳ１４において、設定項目の設定のためのユーザによる操作はなかったと判定された場合、ステップＳ１５をスキップして、ステップＳ１１に戻る。
【０１００】
ステップＳ１４において、設定項目の設定のためのユーザによる操作はあったと判定された場合、ステップＳ１５に進み、制御部６９は、後述するように、ユーザの操作に応じて設定項目の設定を行い、撮像に関する設定項目の設定が行われた場合には、その設定項目の設定に基づいて、撮像部５２の所定処理の実行を制御し、また、その設定項目の設定に対応するメッセージの表示の制御を行い、ステップＳ１１に戻る。
【０１０１】
図６のフローチャートを参照して、図５のステップＳ１４で行われる処理（設定表示制御処理）について説明する。
【０１０２】
ユーザがある設定項目を設定するように操作部５１を操作すると、操作部５１は、そのユーザの操作に対応する操作信号を制御部６９に供給する。
【０１０３】
ステップＳ３１において、制御部６９（図３）の設定部１１１は、操作部５１から供給された操作信号に基づいて、設定項目の設定を行い、その設定項目の設定に関する設定情報を表示制御部１１２に供給し、ステップＳ３２に進む。
【０１０４】
なお、ステップＳ３１では、ユーザによる操作部５１の操作に、いわば直接的に対応した設定項目の設定の他、必要な他の設定項目の設定も行われる。即ち、例えば、ディジタルカメラ１１の仕様により、撮影モードが、連続して撮影を行う連写モードにされた場合に、フラッシュ３４の発光を禁止する必要があるときには、ユーザが、撮影モードを連写モードに設定するように、操作部５１を操作すると、ステップＳ３１では、ユーザによる操作部５１の操作に直接的に対応した設定項目「撮影モード」が設定値「連写」に設定され、さらに、必要な他の設定項目としての、フラッシュ３４の発光に関する設定項目が、フラッシュ３４の発光を禁止するように設定される。
【０１０５】
ステップＳ３２において、制御部６９は、設定項目の設定に基づいて、撮像処理に関する所定処理の実行の制御を行い、ステップＳ３３に進む。
【０１０６】
具体的には、ステップＳ３２において、例えば、マクロ撮影に関する設定項目が、ＯＮに設定された場合、撮像制御部１１３は、その設定に対応する制御信号をレンズ制御部６１に供給し、レンズ制御部６１は、レンズ３５を制御し、マクロ撮影を行うためのレンズ配置にさせる。
【０１０７】
ステップＳ３３において、表示制御部１１２は、設定部１１１から供給された設定情報に基づいて、設定された設定項目の設定を表すアイコンを、LCD２２に表示させ、ステップＳ３４に進む。
【０１０８】
具体的には、ステップＳ３１において、例えば、フラッシュ３４の発光に関する設定項目が、フラッシュ３４の発光を行うように設定された場合、ステップＳ３３では、フラッシュ３４が発光することを表すアイコンが、LCD２２に表示される。また、ステップＳ３１において、例えば、フラッシュ３４の発光に関する設定項目が、フラッシュ３４の発光を行わないように設定された場合、ステップＳ３３では、フラッシュ３４が発光しないことを表すアイコンが表示される。
【０１０９】
なお、フラッシュ３４の発光に関する設定項目が、フラッシュ３４の発光を行うように設定された場合には、フラッシュ３４が発光することを表すアイコンを表示し、フラッシュ３４の発光に関する設定項目が、フラッシュ３４が発光しないように設定された場合には、フラッシュ３４が発光することを表すアイコンを消去することにしてもよい。
【０１１０】
ステップＳ３４において、表示制御部１１２は、メッセージの表示（実況中継）に関する設定項目が、メッセージを表示するように設定されているかどうかを判定する。即ち、実況中継の設定値は、例えば、EEPROM７６に記憶されており、ステップＳ３４において、表示制御部１１２は、EEPROM７６を参照することにより、実況中継の設定値が、メッセージの表示の許可を表す値に設定されているかどうかを判定する。
【０１１１】
ステップＳ３４において、実況中継の設定値がメッセージの表示を許可するように設定されていないと判定された場合、即ち、実況中継の設定値が、メッセージの表示を禁止するように設定されている場合、ステップＳ３５およびステップＳ３６をスキップして、設定表示制御処理を終了する。
【０１１２】
従って、実況中継の設定値がメッセージの表示を禁止するように設定されている場合には、メッセージの表示は行われない。
【０１１３】
また、ステップＳ３４において、実況中継の設定値が、メッセージの表示を許可するように設定されていると判定された場合、ステップＳ３５に進み、表示制御部１１２のＩＤ取得部１２１は、設定部１１１から供給された設定情報が表す設定項目の設定値に関連付けられたＩＤ、即ち、実況ＩＤ、解説ＩＤ、または他項目ＩＤがEEPROM７６のＩＤテーブルに存在するかどうかを判定する。
【０１１４】
ステップＳ３５において、設定項目の設定値に関連付けられた実況ＩＤ、解説ＩＤ、および他項目ＩＤのいずれも、EEPROM７６のＩＤテーブルに存在しないと判定された場合、ステップＳ３６をスキップして、設定表示制御処理を終了する。
【０１１５】
また、ステップＳ３５において、設定項目の設定値に関連付けられた実況ＩＤ、解説ＩＤ、または他項目ＩＤのうちのいずれかが、EEPROM７６のＩＤテーブルに存在すると判定された場合、表示制御部１１２のＩＤ取得部１２１は、その存在する実況ＩＤ、解説ＩＤ、または他項目ＩＤを、EEPROM７６のＩＤテーブルから読み出し、メッセージ取得部１２２に供給して、ステップＳ３６に進む。
【０１１６】
ステップＳ３６において、表示制御部１１２のメッセージ取得部１２２は、ＩＤ取得部１２１から供給された実況ＩＤ、解説ＩＤ、または他項目ＩＤに対応付けられたメッセージ、即ち、実況メッセージ、解説メッセージ、または他項目メッセージをEEPROM７６のメッセージテーブルから読み出す。そして、表示制御部１１２は、メッセージ取得部１２２がメッセージテーブルから読み出した実況メッセージ、解説メッセージ、または他項目メッセージをLCD２２に表示させて、設定表示制御処理を終了する。
【０１１７】
以上のように、ユーザの操作に応じて、メッセージ、即ち、特に、解説メッセージや他項目メッセージが表示されることで、ユーザは、ユーザの操作に応じて行われた設定項目の設定によって、どのような効果がもたらされるのかを把握することができる。
【０１１８】
即ち、ユーザの操作に応じて行われた設定項目の設定で行われる撮像の内容を説明する解説メッセージによれば、ユーザの操作に応じて行われた設定項目の設定によって、ユーザが、どのような撮像が行われるのかを容易に理解することができる。
【０１１９】
さらに、ユーザの操作に応じて行われる設定項目の設定と他の設定項目との排他競合条件は予めディジタルカメラ１１に設定されており、各設定項目の間の優先順位を理解することは困難であるが、ユーザの操作に応じて行われた設定項目の設定が他の設定項目の設定に及ぼす影響を説明する他項目メッセージによれば、ユーザは、ユーザの操作に応じて行われた設定項目の設定が他の設定項目に及ぼす影響を容易に理解することができる。
【０１２０】
また、設定項目の設定や機器の状況を表すアイコンを表示するだけでなく、ユーザの操作に応じて行われた設定項目の設定の内容を説明する実況メッセージを表示することにより、ユーザは、ディジタルカメラ１１の設定や機器の状況を容易に認識することができる。
【０１２１】
ユーザの操作に応じて行われた設定項目の設定に関するメッセージ（実況メッセージ、解説メッセージ、他項目メッセージ）が表示されるため、例えば、ユーザは、ユーザの誤った操作に応じて行われた設定項目の設定が意図した設定と違っている等のいわゆる誤操作や、ユーザの操作に応じて行われた設定項目の設定によって他の設定項目の設定が意図せず変更されている等のいわゆる誤設定に、気付くことができる。また、かかる誤操作や誤設定が行われたままで撮影を続けることで、意図した写真が撮れない等の弊害を防止することができる。
【０１２２】
また、ユーザは、ユーザの操作に応じて行われた設定項目の設定に関するメッセージ（実況メッセージ、解説メッセージ、他項目メッセージ）を参照することで、短期間に、取扱説明書等の媒体を参照しなくても、ディジタルカメラ１１の機能を学習することができる。
【０１２３】
次に、図７乃至図１１を参照して、LCD２２の表示例について説明する。
【０１２４】
図７は、設定項目「撮影モード」を設定した場合にLCD２２に表示される表示画面の例である。
【０１２５】
LCD２２の表示領域のうちの上と下には、設定項目の設定や機器の状態を表すアイコン１４１乃至アイコン１４８が表示される。アイコン１４１は、バッテリの残量を表し、アイコン１４２は、バッテリの残時間を表し、アイコン１４３は、手ぶれ補正のオンを表す。アイコン１４４は、撮像される画像の画素数である撮像画素数の設定を表し、アイコン１４５は、風景、夜景等の撮影モードの設定項目の設定を表し、アイコン１４６は、撮影可能枚数を表す。アイコン１４７は、フラッシュ３４の発光の禁止を表し、アイコン１４８は、マクロ撮影を行うモードであるマクロモードのオンを表す。
【０１２６】
図７において、LCD２２の表示領域の左側には、各種設定を行うためのメニュー画面１４９が表示されている。メニュー画面１４９には、例えば、８つの設定項目「カメラ」、「ＥＶ（Exposure Value）」、「フォーカス」、「測光モード」、「ホワイトバランス」、「ＩＳＯ（International Organization for Standardization）」、「撮影モード」、および「フラッシュレベル」と、その他の設定項目（項目「▽SETUP」）が垂直方向に配置されている。
【０１２７】
なお、メニュー画面１４９は、メニューボタン２６（図１）が操作されると、LCD２２に表示される。
【０１２８】
また、LCD２２にメニュー画面１４９を表示する場合、アイコン１４１乃至アイコン１４８は、メニュー画面１４９を表示していない場合に比べて低いコントラストで表示することができる。
【０１２９】
図７では、メニュー画面１４９の８つの設定項目のうちの設定項目「撮影モード」がフォーカスされている。フォーカスされている設定項目「撮影モード」の右側には、吹き出しが表示され、かかる吹き出しには、設定項目「撮影モード」に設定可能な設定値を表すアイコンが横方向に並ぶ形で、フォーカスされているアイコンを表すカーソルとともに表示される。
【０１３０】
メニュー画面１４９が表示された状態で、ユーザが図１の上キー２９、または下キー３０を操作すると、フォーカスされる設定項目が変更される。
【０１３１】
さらに、フォーカスされている設定項目に設定可能な設定値を表すアイコンが並んだ吹き出しが表示されている状態で、ユーザが図１の左キー３１、または右キー３２を操作すると、フォーカスされているアイコンを表すカーソルが移動し、これにより、フォーカスされている設定項目に設定する設定値を選択することができる。
【０１３２】
吹き出し内のある設定値がフォーカスされている状態で、ユーザが、図１の決定キー３３を押下すると、ディジタルカメラ１１は、フォーカスされている設定項目に、フォーカスされている設定値を設定する（設定が確定する）。
【０１３３】
図７上は、設定項目「撮影モード」が設定値「連写」に設定された場合のLCD２２の表示例を示し、図７下は、設定項目「撮影モード」が設定値「BRK±0.3EV」に設定された場合のLCD２２の表示例を示している。
【０１３４】
図７上では、設定項目「撮影モード」が、設定値「連写」に設定されている。
【０１３５】
この場合、図７上に示すように、実況メッセージ「撮影モードが連写に設定されました。」、解説メッセージ「シャッタを押している間、撮りつづけられますよ。」、他項目メッセージ「でも、フラッシュ撮影ができなくなりますよ。」がLCD２２に表示される。
【０１３６】
ここで、ディジタルカメラ１１では、設定項目「撮影モード」が設定値「連写」に設定された場合、さらにフラッシュ３４の発光を禁止する設定が行われるようになっている。
【０１３７】
このため、設定項目「撮影モード」が設定値「連写」に設定された場合、その設定が他の設定項目の設定に及ぼす影響を説明する他項目メッセージとして、フラッシュ３４が発光しないことを説明するメッセージ「でも、フラッシュ撮影ができなくなりますよ。」が表示される。
【０１３８】
図７上の実況メッセージ「撮影モードが連写に設定されました。」は、撮像処理に関して、「撮影モード」が「連写」にされるという所定の処理が実行されたことを示す情報であり、かかる実況メッセージによれば、ユーザは、設定項目「撮影モード」が、設定値「連写」に設定されたという、ユーザの操作に応じて行われた設定項目の設定の内容を、的確に把握することができる。
【０１３９】
また、図７上の解説メッセージ「シャッタを押している間、撮りつづけられますよ。」は、撮像処理に関して、「撮影モード」が「連写」にされるという所定の処理の実行によりもたらされる効果を説明する情報であり、かかる解説メッセージによれば、ユーザは、シャッタボタン２３を押し続けている間撮影が連続して行われるという、ユーザの操作に応じて行われた設定項目の設定によってもたらされる効果のうちの、ユーザの操作に応じて行われた設定項目の設定で行われる撮像の内容を、的確に把握することができる。
【０１４０】
さらに、図７上の他項目メッセージ「でも、フラッシュ撮影ができなくなりますよ。」は、撮像処理に関して、「撮影モード」が「連写」にされるという所定の処理の実行が、フラッシュ撮影という他の所定処理に及ぼす影響を説明する情報であり、かかる他項目メッセージによれば、ユーザは、フラッシュ３４が発光しなくなるという、ユーザの操作に応じて行われた設定項目の設定によってもたらされる効果のうちの、ユーザの操作に応じて行われた設定項目の設定が他の設定項目の設定に及ぼす影響を、的確に把握することができる。
【０１４１】
図７下では、設定項目「撮影モード」が、設定値「BRK±0.3EV」に設定されている。
【０１４２】
この場合、図７下に示すように、実況メッセージ「撮影モードがBRK±0.3EVに設定されました。」、解説メッセージ「1回のシャッタでEV補正を-0.3EV/±0EV/+0.3EVに設定して３枚撮影します。」、他項目メッセージ「でも、フラッシュ撮影ができなくなりますよ。」がLCD２２に表示される。
【０１４３】
ここで、ディジタルカメラ１１では、設定項目「撮影モード」が設定値「BRK±0.3EV」に設定された場合、さらにフラッシュ３４の発光を禁止する設定が行われるようになっている。
【０１４４】
このため、設定項目「撮影モード」が設定値「BRK±0.3EV」に設定された場合、その設定が他の設定項目の設定に及ぼす影響を説明する他項目メッセージとして、フラッシュ３４が発光しないことを説明するメッセージ「でも、フラッシュ撮影ができなくなりますよ。」が表示される。
【０１４５】
図７下の実況メッセージ「撮影モードがBRK±0.3EVに設定されました。」によれば、ユーザは、設定項目「撮影モード」が、設定値「BRK±0.3EV」に設定されたという、ユーザの操作に応じて行われた設定項目の設定の内容を、的確に把握することができる。
【０１４６】
また、図７下の解説メッセージ「1回のシャッタでEV補正を-0.3EV/±0EV/+0.3EVに設定して３枚撮影します。」によれば、ユーザは、1回のシャッタボタン２３の押下でEV補正を-0.3EV/±0EV/+0.3EVに設定して３枚の撮影が行われるという、ユーザの操作に応じて行われた設定項目の設定によってもたらされる効果のうちの、ユーザの操作に応じて行われた設定項目の設定で行われる撮像の内容を、的確に把握することができる。
【０１４７】
さらに、図７下の他項目メッセージ「でも、フラッシュ撮影ができなくなりますよ。」によれば、ユーザは、フラッシュ３４が発光しなくなるという、ユーザの操作に応じて行われた設定項目の設定によってもたらされる効果のうちの、ユーザの操作に応じて行われた設定項目の設定が他の設定項目の設定に及ぼす影響を、的確に把握することができる。
【０１４８】
図８は、設定項目「マクロ」を設定した場合にLCD２２に表示される表示画面の例である。
【０１４９】
なお、図８において、図７における場合と対応する部分には、同一の符号を付してあり、その説明は適宜省略する。
【０１５０】
マクロのＯＮ／ＯＦＦに関する設定項目「マクロ」が設定値「ＯＦＦ」に設定された状態で、マクロボタン２７（図１）が押下されると、設定項目「マクロ」が設定値「ＯＮ」に設定される。また、設定項目「マクロ」が設定値「ＯＮ」に設定された状態で、マクロボタン２７が押下されると、設定項目「マクロ」が設定値「ＯＦＦ」に設定される。
【０１５１】
図８上は、設定項目「マクロ」が設定値「ＯＮ」に設定された場合に表示される表示画面を示し、図８下は、設定項目「マクロ」が設定値「ＯＦＦ」に設定された場合に表示される表示画面を示している。
【０１５２】
設定項目「マクロ」が設定値「ＯＮ」に設定された場合、図８上に示すように、実況メッセージ「マクロモードがマクロＯＮに設定されました。」、解説メッセージ「ピントを合わせる位置が、近接10cm〜50cmくらいになりました。」、他項目メッセージ「でも、マニュアルフォーカス設定は使えません。」がLCD２２に表示される。
【０１５３】
ここで、設定項目「マクロ」が設定値「ＯＮ」に設定された場合、ディジタルカメラ１１では、フォーカスをマニュアルで決めるマニュアルフォーカスを禁止して、オートフォーカスとする設定が行われるようになっている。
【０１５４】
このため、設定項目「マクロ」が設定値「ＯＮ」に設定された場合、その設定が他の設定項目の設定に及ぼす影響を説明する他項目メッセージとして、マニュアルフォーカスを使えないことを説明するメッセージ「でも、マニュアルフォーカス設定は使えません。」が表示される。
【０１５５】
図８上の実況メッセージ「マクロモードがマクロＯＮに設定されました。」によれば、ユーザは、「マクロ」が、「ＯＮ」に設定されたという、ユーザの操作に応じて行われた設定項目の設定の内容を、的確に把握することができる。
【０１５６】
また、図８上の解説メッセージ「ピントを合わせる位置が、近接10cm〜50cmくらいになりました。」によれば、ユーザは、フォーカスを10cm〜50cm程度の近距離に合わせた撮影が行われるという、ユーザの操作に応じて行われた設定項目の設定によってもたらされる効果のうちの、ユーザの操作に応じて行われた設定項目の設定で行われる撮像の内容を、的確に把握することができる。
【０１５７】
さらに、他項目メッセージ「でも、マニュアルフォーカス設定は使えません。」によれば、ユーザは、マニュアルフォーカスが使えなくなるという、ユーザの操作に応じて行われた設定項目の設定によってもたらされる効果のうちの、ユーザの操作に応じて行われた設定項目の設定が他の設定項目の設定に及ぼす影響を、的確に把握することができる。
【０１５８】
設定項目「マクロ」が、設定値「ＯＦＦ」に設定された場合、図８下に示すように、実況メッセージ「マクロモードが、マクロＯＦＦに設定されました。」、解説メッセージ「ピントをあわせは、カメラが自動的に行います。フォーカスが「マルチＡＦ」になっているので、画面全般のどこかにあいます。」がLCD２２に表示される。
【０１５９】
図８下の実況メッセージ「マクロモードが、マクロＯＦＦに設定されました。」によれば、ユーザは、「マクロ」が、「ＯＦＦ」に設定されたという、ユーザの操作に応じて行われた設定項目の設定の内容を、的確に把握することができる。
【０１６０】
また、図８下の解説メッセージ「ピントをあわせは、カメラが自動的に行います。フォーカスが「マルチＡＦ」になっているので、画面全般のどこかにあいます。」によれば、ユーザは、「マルチＡＦ」なるオートフォーカスによってLCD２２に表示された画像のどこかにフォーカスが合わせた撮影が行われるという、ユーザの操作に応じて行われた設定項目の設定によってもたらされる効果のうちの、ユーザの操作に応じて行われた設定項目の設定で行われる撮像の内容を、的確に把握することができる。
【０１６１】
図９は、ズームに関する設定項目「ズーム」を設定した場合にLCD２２に表示される表示画面の例である。
【０１６２】
なお、図９において、図７における場合と対応する部分には、同一の符号を付してあり、その説明は適宜省略する。
【０１６３】
図９において、LCD２２の左下には、設定項目「ズーム」の設定値を視覚的に表すGUIであるバー１６１が表示されている。バー１６１は、設定項目「ズーム」の現在の設定値としてのズームのレベル（ズーム倍率）を表すカーソル１６２を有する。カーソル１６２が右側に移動するほど、大のレベル（大のズーム倍率）を表わす。バー１６１の下側には、現在のズーム倍率（「ｘ３．５」や「ｘ５．０」）が表示されている。
【０１６４】
ユーザが、ズームテレボタン２５（図１）を押下すると、ズームのレベルを大にする（ズーム倍率を大にする）設定が行われ、さらに、ズームテレボタン２５を押下し続けると、ズームのレベルをさらに大にする（ズーム倍率をさらに大にする）設定が行われる。
【０１６５】
ここで、ズームには、光学的な光学ズームと、電気的なディジタルズームとがある。光学ズームのレベルは、例えば、９段階に設定可能であり、その設定可能な９段階の設定値のうちの広角側から数えてｎ番目の設定値を光学のレベルｎという。
【０１６６】
図９上は、設定項目「ズーム」が設定値「光学のレベル８」に設定された場合のLCD２２の表示画面を示し、図９下は、設定項目「光学ズームが設定値「光学のレベル９」に設定された場合のLCD２２の表示画面を示している。
【０１６７】
設定項目「ズーム」が、設定値「光学のレベル８」に設定された場合、図９上に示すように、実況メッセージ「ズーム位置が光学のレベル８に移動されました。」と、解説メッセージ「従って、倍率は３．５倍になりますね。」がLCD２２に表示される。
【０１６８】
実況メッセージ「ズーム位置が光学のレベル８に移動されました。」によれば、ユーザは、設定項目「ズーム」が、設定値「光学のレベル８」に設定されたという、ユーザの操作に応じて行われた設定項目の設定の内容を、的確に把握することができる。
【０１６９】
また、解説メッセージ「従って、倍率は３．５倍になりますね。」によれば、ユーザは、ズーム倍率が３．５倍での撮影が行われるという、ユーザの操作に応じて行われた設定項目の設定によってもたらされる効果のうちの、ユーザの操作に応じて行われた設定項目の設定で行われる撮像の内容を、的確に把握することができる。
【０１７０】
また、設定項目「光学ズーム」が、設定値「光学のレベル９」に設定された場合、図９下に示すように、実況メッセージ「ズーム位置が光学のレベル９に移動されました。」、解説メッセージ「従って、倍率は５．０倍になりますね。現在光学Ｔ端です。」、他項目メッセージ「これ以上は[ディジタルズーム]を[ＯＮ]にしてください。」がLCD２２に表示される。
【０１７１】
ここで、光学ズームについては、「光学のレベル９」が最大値であり、設定項目「ズーム」の設定値をこれ以上の光学のレベルに設定することはできない。また、さらに大のズーム倍率を得ようとする場合には、撮像によって得られた画像の中央部を拡大補間するディジタルズームを使用する必要がある。
【０１７２】
このため、設定項目「光学ズーム」が設定値「光学のレベル９」に設定された場合、設定項目「ディジタルズーム」が設定値「ＯＦＦ」になっているときには、その設定が他の設定項目の設定に及ぼす影響を説明する他項目メッセージとして、さらにズーム倍率を大にするには、設定項目「ディジタルズーム」を設定値「ＯＮ」に設定する必要があることを説明するメッセージ「これ以上は[ディジタルズーム]を[ＯＮ]にしてください。」が表示される。
【０１７３】
実況メッセージ「ズーム位置が光学のレベル９に移動されました。」によれば、ユーザは、設定項目「ズーム」が、設定値「光学のレベル９」に設定されたという、ユーザの操作に応じて行われた設定項目の設定の内容を、的確に把握することができる。
【０１７４】
また、解説メッセージ「従って、倍率は５．０倍になりますね。現在光学Ｔ端です。」によれば、ユーザは、ズーム倍率が５．０倍になり、光学のレベルの上限、いわゆる光学Ｔ端に達した状態での撮影が行われるという、ユーザの操作に応じて行われた設定項目の設定によってもたらされる効果のうちの、ユーザの操作に応じて行われた設定項目の設定で行われる撮像の内容を、的確に把握することができる。
【０１７５】
さらに、他項目メッセージ「これ以上は[ディジタルズーム]を[ＯＮ]にしてください。」によれば、ユーザは、さらに大のズーム倍率を得ようとする場合には、ディジタルズームをＯＮに設定する必要があるという、ユーザの操作に応じて行われた設定項目の設定によってもたらされる効果のうちの、ユーザの操作に応じて行われた設定項目の設定が他の設定項目の設定に及ぼす影響を、的確に把握することができる。
【０１７６】
次に、ディジタルカメラ１１で設定可能な設定項目の中には、ディジタルカメラ１１が具体的な設定値を最終的に決定することを設定することができる設定項目がある。ディジタルカメラ１１が具体的な設定値を最終的に決定することに設定されている設定項目（以下、適宜、オート項目）については、例えば、シャッタボタン２３が半押し状態にされたときに、設定部１１１がオート項目の具体的な設定値を決定して撮影が行われる。
【０１７７】
以上のように、オート項目については、シャッタボタン２３が半押し状態にされたときに、設定部１１１が、具体的な設定値を最終的に決定するが、この場合、表示制御部１１２（図３）では、設定部１１１で具体的な設定値が決定されたオート項目、オート項目に対して設定部１１１が決定した具体的な設定値、またはオート項目の具体的な設定値を所定の設定値に決定した理由のうちの１以上を説明する自然言語のメッセージ（以下、適宜、オート項目メッセージという）をLCD２２に表示させることができる。
【０１７８】
図１０は、オート項目メッセージの表示例を示している。
【０１７９】
図１０上は、スルー画が表示されているLCD２２の表示画面を示している。
【０１８０】
シャッタボタン２３が半押しされると、設定部１１１は、シャッタボタン２３が半押しされたときに撮像された画像データ（CCD６５で受光された光）等に基づき、オート項目の具体的な設定値を決定する。
【０１８１】
ここで、オート項目となり得る設定項目としては、例えば、フラッシュの発光、シャッタスピード（露出時間）、絞り（アイリス６２（図２）の開口径）、露出補正、フォーカス、手ぶれ補正等に関する設定項目がある。
【０１８２】
例えば、いま、フラッシュの発光、シャッタスピード、絞り、および露出補正に関する設定項目がオート項目になっているとすると、設定部１１１は、シャッタボタン２３が半押しされたときに、オート項目であるフラッシュの発光、シャッタスピード、絞り、および露出補正のそれぞれに関する設定項目の具体的な値を最終的に決定して設定する。
【０１８３】
例えば、フラッシュの発光については、設定部１１１は、測光素子７０の測光値に基づいて、被写体の明るさを判断し、例えば、被写体が暗いと判断すれば、フラッシュ３４を発光することに最終的に決定し、被写体が明るいと判断すれば、フラッシュ３４を発光しないことに最終的に決定する。
【０１８４】
そして、設定部１１１が、オート項目について、具体的な設定値を決定すると、表示制御部１１２は、例えば、図１０下に示すように、オート項目メッセージを、図１０上のスルー画に重畳して、LCD２２に表示させる。
【０１８５】
ここで、表示制御部１１２は、オート項目メッセージの他、ディジタルカメラ１１の動作状況（状態）を説明する状況メッセージも、LCD２２に表示させることができる。
【０１８６】
図１０下では、状況メッセージとして、メッセージ「半押しされたのでロック状態にします」が表示されている。また、オート項目メッセージとして、メッセージ「やや暗いので、フラッシュを発光しますよ」、メッセージ「シャッタスピードや絞り、露出補正も確定です。」、および、メッセージ「フォーカスも約1.0m付近にあわせました」が表示されている。
【０１８７】
以上のような状況メッセージ「半押しされたのでロック状態にします」によれば、ユーザは、シャッタボタン２３の半押しの操作に応じて、ディジタルカメラ１１がロック状態になっているというディジタルカメラ１１の動作状況を理解することができる。
【０１８８】
また、オート項目メッセージ「やや暗いので、フラッシュを発光しますよ」によれば、ユーザは、設定部１１１で具体的な設定値が決定されたオート項目が、フラッシュ３４の発光に関する設定項目であること、その設定項目に対して設定部１１１が決定した具体的な設定値が、フラッシュ３４が発光することを表す値であること、および、フラッシュ３４の発光に関する設定項目の具体的な設定値を、フラッシュ３４が発光することを表す値に決定した理由が、やや暗いためであることを、容易に理解することができる。
【０１８９】
さらに、オート項目メッセージ「シャッタスピードや絞り、露出補正も確定です」によれば、ユーザは、設定部１１１で具体的な設定値が決定されたオート項目が、シャッタスピード、絞り、露出補正それぞれに関する設定項目であることを、容易に理解することができる。
【０１９０】
また、オート項目メッセージ「フォーカスも約1.0m付近にあわせました」によれば、ユーザは、設定部１１１で具体的な設定値が決定されたオート項目が、フォーカスに関する設定項目であること、および、その設定項目に対して設定部１１１が決定した具体的な設定値が、約1.0mであることを、容易に理解することができる。
【０１９１】
このように、例えば、ディジタルカメラ１１によってオート項目の具体的な設定値が決定された場合に、そのような設定値に決定した理由を説明するオート項目メッセージを表示することによって、ユーザは、その理由を理解し、必要があれば、自分自身が納得のいく設定への変更を行うことができる。
【０１９２】
その結果、所望の設定での撮影機会を逃したり、望みどおりの設定での撮影を行えない等の不都合によるユーザのストレスを軽減することができる。
【０１９３】
次に、上述したように、ディジタルカメラ１１でのメッセージの表示は、メッセージの表示を許可または禁止する設定にすることができる。
【０１９４】
メッセージの表示に関する設定を行う場合、ユーザは、図７で説明したメニュー画面１４９の一番下に表示されているSETUPアイコン（「▽SETUP」の文字が表示されているアイコン）がフォーカスされるように、図１の上キー２９または下キー３０を操作し、SETUPアイコンがフォーカスされている状態で、決定キー３３を操作する。
【０１９５】
この場合、表示制御部１１２（図３）は、図１１に示すように、セットアップ画面をLCD２２に表示させる。
【０１９６】
即ち、図１１は、セットアップ画面の表示例を示す図である。
【０１９７】
セットアップ画面には、３つの設定項目、「バーション」、「設定リセット」、「実況中継」が、アイコン１８１の下側に表示されている。設定項目「実況中継」がフォーカスされると、設定項目「実況中継」の表示の右側に、メッセージの表示の許可を表す「入」と、メッセージの表示の禁止を表す「切」とが上下に並ぶ形で表示される。
【０１９８】
図１１では、「入」の左側に、丸印が表示されており、この丸印は、メッセージの表示が「入」、つまり、メッセージの表示が許可に設定されていることを表す。
【０１９９】
丸印は、ユーザが、図１の上キー２９または下キー３０を操作することで移動する。例えば、丸印が「切」の左側に位置している状態で、ユーザが決定キー３３を押下すると、メッセージの表示は「切」、つまり、メッセージの表示が禁止に設定され、この場合、ディジタルカメラ１１では、メッセージの表示は行われない。
【０２００】
以上のように、ユーザの操作に基づいて、実況中継（メッセージの表示）の許可または禁止を設定することができる。
【０２０１】
以上、本発明を、ディジタルカメラに適用した場合について説明したが、本発明は、その他、動画を撮影するビデオカメラや、フィルムに画像を記録する、いわゆる銀塩カメラ、さらには、携帯電話機その他の撮影機能を搭載した装置に適用可能である。
【０２０２】
また、本実施の形態では、日本語のメッセージを表示するようにしたが、メッセージの言語は日本語以外の、例えば、英語その他であってもよい。さらに、メッセージの言語は、例えば、ユーザの操作等に応じて切り替えることが可能である。
【０２０３】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０２０４】
【図１】本発明を適用したディジタルカメラの一実施の形態の外観構成例を示す平面図である。
【図２】ディジタルカメラ１１の内部構成例を示すブロック図である。
【図３】設定表示制御処理を行う制御部６９、および制御部６９に参照されるEEPROM７６の機能的な構成例を示すブロック図である。
【図４】ＩＤテーブル１３１およびメッセージテーブル１３２の例を示す図である。
【図５】ディジタルカメラ１１が行う撮像表示処理について説明するフローチャートである。
【図６】図５のステップＳ１４で行われる処理について説明するフローチャートである。
【図７】設定項目「撮影モード」を設定した場合にLCD２２に表示される表示画面の例である。
【図８】設定項目「マクロ」を設定した場合にLCD２２に表示される表示画面の例である。
【図９】設定項目「ズーム」を設定した場合にLCD２２に表示される表示画面の例である。
【図１０】オート項目メッセージの表示例を示している。
【図１１】セットアップ画面の表示例を示す図である。
【符号の説明】
【０２０５】
１１  ディジタルカメラ，  ２１  本体，  ２２  LCD，  ２３  シャッタボタン，  ２４  ズームワイドボタン，  ２５  ズームテレボタン，  ２６  メニューボタン，  ２７  マクロボタン，  ２８  フラッシュボタン，  ２９  上キー，  ３０  下キー，  ３１  左キー，  ３２  右キー，  ３３  決定キー，  ３４  フラッシュ，  ３５  レンズ，  ５１  操作部，  ５２  撮像部，  ６１  レンズ制御部，  ６２  アイリス，  ６３  シャッタ，  ６４  タイミングジェネレータ，  ６５  CCD，  ６６  CDS部,  ６７  A/D変換部，  ６８  WBアンプ，  ６９  制御部，  ７２  記録部，  ７３  ROM，  ７４  外部インターフェース，  ７５  RAM，  ７６  EEPROM，  １１１  設定部，  １１２  表示制御部，  １２１  ＩＤ取得部，  １２２  メッセージ取得部,  １３１  ＩＤテーブル,  １３２  メッセージテーブル,  １４１乃至１４８  アイコン，  １４９  メニュー画面
【図１】
2007243418.tif 000003
【図２】
2007243418.tif 000004
【図３】
2007243418.tif 000005
【図４】
2007243418.tif 000006
【図５】
2007243418.tif 000007
【図６】
2007243418.tif 000008
【図７】
2007243418.tif 000009
【図８】
2007243418.tif 000010
【図９】
2007243418.tif 000011
【図１０】
2007243418.tif 000012
【図１１】
2007243418.tif 000013